【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
装置であって、
第１の周波数帯域よりも狭い第１の帯域幅を有する、前記第１の周波数帯域に関するナローフィルタであって、入力無線周波数（ＲＦ）信号を受信し、フィルタリングし、フィルタリングされたＲＦ信号を提供するように構成された、ナローフィルタと、
前記ナローフィルタの出力に動作可能に結合された入力を有する電力増幅器であって、前記フィルタリングされたＲＦ信号を受信し、増幅し、増幅されたＲＦ信号を提供するように構成された、電力増幅器と
を備え、
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、装置。
【請求項２】
前記ナローフィルタを備え、第１のスイッチを介して前記電力増幅器の前記入力に結合された第１の信号経路と、
第２のスイッチを介して前記電力増幅器の前記入力に結合されたバイパス信号経路と
をさらに備える、請求項１に記載の装置。
【請求項３】
前記ナローフィルタの前記第１の帯域幅よりも大きい第２の帯域幅を有する、前記第１の周波数帯域に関するフルフィルタであって、前記電力増幅器の出力に動作可能に結合された入力を有しており、前記増幅されたＲＦ信号を受信し、フィルタリングし、出力ＲＦ信号を提供するように構成された、フルフィルタ
をさらに備える、請求項１に記載の装置。
【請求項４】
前記第１の周波数帯域がバンド４０に対応し、前記ナローフィルタの前記第１の帯域幅がバンド４０の帯域幅よりも小さく、前記フルフィルタの前記第２の帯域幅がバンド４０の前記帯域幅に等しいかそれよりも大きい、請求項３に記載の装置。
【請求項５】
前記ナローフィルタが前記第１の周波数帯域内に遷移帯域を有し、前記フルフィルタが前記第１の周波数帯域外に遷移帯域を有する、請求項３に記載の装置。
【請求項６】
前記第１の周波数帯域よりも狭い帯域幅を有する、前記第１の周波数帯域に関する第２のナローフィルタであって、前記電力増幅器の出力に動作可能に結合された入力を有しており、前記増幅されたＲＦ信号を受信し、フィルタリングし、出力ＲＦ信号を提供するように構成された、第２のナローフィルタ
をさらに備える、請求項１に記載の装置。
【請求項７】
前記電力増幅器の前記出力とアンテナインターフェース回路との間に結合されたバイパス信号経路
をさらに備える、請求項１に記載の装置。
【請求項８】
前記装置が、前記第１の周波数帯域における前記第１のワイヤレスネットワークと通信するが、前記第１の周波数帯域に隣接する前記第２の周波数帯域における前記第２のワイヤレスネットワークとは通信しないときには、前記フルフィルタが選択される、請求項３に記載の装置。
【請求項９】
前記装置が前記第１の周波数帯域における前記第１のワイヤレスネットワークおよび前記第１の周波数帯域に隣接する前記第２の周波数帯域における前記第２のワイヤレスネットワークと同時に通信するときには、前記ナローフィルタと前記フルフィルタが両方とも選択される、請求項３に記載の装置。
【請求項１０】
前記装置が前記第１の周波数帯域における前記第１のワイヤレスネットワークおよび前記第１の周波数帯域に隣接する前記第２の周波数帯域における第２のワイヤレスネットワークと同時に通信するときには、前記ナローフィルタと前記第２のナローフィルタが両方とも選択される、請求項６に記載の装置。
【請求項１１】
フィルタリングされたＲＦ信号を得るためにナローフィルタを用いて入力無線周波数（ＲＦ）信号をフィルタリングすることであって、前記ナローフィルタが、第１の周波数帯域に関するものであり、前記第１の周波数帯域よりも狭い第１の帯域幅を有する、フィルタリングすることと、
増幅されたＲＦ信号を得るために電力増幅器を用いて前記ナローフィルタからの前記フィルタリングされたＲＦ信号を増幅することと
を備え、
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、方法。
【請求項１２】
出力ＲＦ信号を得るためにフルフィルタを用いて前記電力増幅器からの前記増幅されたＲＦ信号をフィルタリングすることであって、前記フルフィルタが、前記第１の周波数帯域に関するものであり、前記ナローフィルタの前記第１の帯域幅よりも大きい第２の帯域幅を有する、フィルタリングすること
をさらに備える、請求項１１に記載の方法。
【請求項１３】
出力ＲＦ信号を得るために第２のナローフィルタを用いて前記電力増幅器からの前記増幅されたＲＦ信号をフィルタリングすることであって、前記第２のナローフィルタが、前記第１の周波数帯域に関するものであり、前記第１の周波数帯域よりも狭い帯域幅を有する、フィルタリングすること
をさらに備える、請求項１１に記載の方法。
【請求項１４】
前記ナローフィルタが使用のために選択されないときには、前記電力増幅器を用いて前記入力ＲＦ信号を増幅し、前記ナローフィルタをバイパスすること
をさらに備える、請求項１１に記載の方法。
【請求項１５】
請求項１１〜１４のうちのいずれかに記載のステップを実行する命令を備える、コンピュータプログラム製品。
【手続補正２】
【補正対象書類名】明細書
【補正対象項目名】００５９
【補正方法】変更
【補正の内容】
【００５９】
[0065]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
第１の周波数帯域よりも狭い第１の帯域幅を有する、前記第１の周波数帯域に関するナローフィルタであって、入力無線周波数（ＲＦ）信号を受信し、フィルタリングし、フィルタリングされたＲＦ信号を提供するように構成された、ナローフィルタと、
前記ナローフィルタの出力に動作可能に結合された入力を有する電力増幅器であって、前記フィルタリングされたＲＦ信号を受信し、増幅し、増幅されたＲＦ信号を提供するように構成された、電力増幅器と
を備える装置。
［Ｃ２］
前記ナローフィルタを備え、第１のスイッチを介して前記電力増幅器の前記入力に結合された第１の信号経路と、
第２のスイッチを介して前記電力増幅器の前記入力に結合されたバイパス信号経路と
をさらに備える、上記Ｃ１に記載の装置。
［Ｃ３］
前記ナローフィルタの前記第１の帯域幅よりも大きい第２の帯域幅を有する、前記第１の周波数帯域に関するフルフィルタであって、前記電力増幅器の出力に動作可能に結合された入力を有し、前記増幅されたＲＦ信号を受信し、フィルタリングし、出力ＲＦ信号を提供するように構成された、フルフィルタ
をさらに備える、上記Ｃ１に記載の装置。
［Ｃ４］
前記第１の周波数帯域がバンド４０に対応し、前記ナローフィルタの前記第１の帯域幅がバンド４０の帯域幅よりも小さく、前記フルフィルタの前記第２の帯域幅がバンド４０の前記帯域幅に等しいかそれよりも大きい、上記Ｃ３に記載の装置。
［Ｃ５］
前記ナローフィルタが前記第１の周波数帯域内に遷移帯域を有し、前記フルフィルタが前記第１の周波数帯域外に遷移帯域を有する、上記Ｃ３に記載の装置。
［Ｃ６］
前記第１の周波数帯域よりも狭い帯域幅を有する、前記第１の周波数帯域に関する第２のナローフィルタであって、前記電力増幅器の出力に動作可能に結合された入力を有し、前記増幅されたＲＦ信号を受信し、フィルタリングし、出力ＲＦ信号を提供するように構成された、第２のナローフィルタ
をさらに備える、上記Ｃ１に記載の装置。
［Ｃ７］
前記電力増幅器の前記出力とアンテナインターフェース回路との間に結合されたバイパス信号経路
をさらに備える、上記Ｃ１に記載の装置。
［Ｃ８］
前記ナローフィルタが、少なくとも１つの基準に基づいて選択またはバイパスされ、前記ナローフィルタは、前記ナローフィルタが選択されたときには、前記第１の周波数帯域について前記入力ＲＦ信号をフィルタリングするように構成された、上記Ｃ１に記載の装置。
［Ｃ９］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタが選択される、上記Ｃ１に記載の装置。
［Ｃ１０］
前記装置が、前記第１の周波数帯域における第１のワイヤレスネットワークと通信するが、前記第１の周波数帯域に隣接する第２の周波数帯域における第２のワイヤレスネットワークとは通信しないときには、前記フルフィルタが選択される、上記Ｃ３に記載の装置。
［Ｃ１１］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタと前記フルフィルタが両方とも選択される、上記Ｃ３に記載の装置。
［Ｃ１２］
前記装置が前記第１の周波数帯域における第１のワイヤレスネットワークおよび前記第１の周波数帯域に隣接する第２の周波数帯域における第２のワイヤレスネットワークと同時に通信するときには、前記ナローフィルタと前記第２のナローフィルタが両方とも選択される、上記Ｃ６に記載の装置。
［Ｃ１３］
フィルタリングされたＲＦ信号を得るためにナローフィルタを用いて入力無線周波数（ＲＦ）信号をフィルタリングすることであって、前記ナローフィルタが、第１の周波数帯域に関するものであり、前記第１の周波数帯域よりも狭い第１の帯域幅を有する、フィルタリングすることと、
増幅されたＲＦ信号を得るために電力増幅器を用いて前記ナローフィルタからの前記フィルタリングされたＲＦ信号を増幅することと
を備える方法。
［Ｃ１４］
出力ＲＦ信号を得るためにフルフィルタを用いて前記電力増幅器からの前記増幅されたＲＦ信号をフィルタリングすることであって、前記フルフィルタが、前記第１の周波数帯域に関するものであり、前記ナローフィルタの前記第１の帯域幅よりも大きい第２の帯域幅を有する、フィルタリングすること
をさらに備える、上記Ｃ１３に記載の方法。
［Ｃ１５］
出力ＲＦ信号を得るために第２のナローフィルタを用いて前記電力増幅器からの前記増幅されたＲＦ信号をフィルタリングすることであって、前記第２のナローフィルタが、前記第１の周波数帯域に関するものであり、前記第１の周波数帯域よりも狭い帯域幅を有する、フィルタリングすること
をさらに備える、上記Ｃ１３に記載の方法。
［Ｃ１６］
前記ナローフィルタが使用のために選択されないときには、前記電力増幅器を用いて前記入力ＲＦ信号を増幅し、前記ナローフィルタをバイパスすること
をさらに備える、上記Ｃ１３に記載の方法。
［Ｃ１７］
入力無線周波数（ＲＦ）信号を受信し、フィルタリングし、フィルタリングされたＲＦ信号を提供するように構成された、フィルタリングするための第１の手段であって、第１の周波数帯域に関するものであり、前記第１の周波数帯域よりも狭い第１の帯域幅を有する、フィルタリングするための第１の手段と、
前記フィルタリングされたＲＦ信号を受信し、増幅し、増幅されたＲＦ信号を提供するように構成された、増幅するための手段と
を備える装置。
［Ｃ１８］
前記増幅されたＲＦ信号を受信し、フィルタリングし、出力ＲＦ信号を提供するように構成された、フィルタリングするための第２の手段であって、前記第１の周波数帯域に関するものであり、前記ナローフィルタの前記第１の帯域幅よりも大きい第２の帯域幅を有する、フィルタリングするための第２の手段
をさらに備える、上記Ｃ１７に記載の装置。
［Ｃ１９］
前記増幅されたＲＦ信号を受信し、フィルタリングし、出力ＲＦ信号を提供するように構成された、フィルタリングするための第２の手段であって、前記第１の周波数帯域に関するものであり、前記第１の周波数帯域よりも狭い帯域幅を有する、フィルタリングするための第２の手段
をさらに備える、上記Ｃ１７に記載の装置。
［Ｃ２０］
ワイヤレスデバイスが第１の周波数帯域における第１のワイヤレスネットワークおよび前記第１の周波数帯域に隣接する第２の周波数帯域における第２のワイヤレスネットワークと同時に通信するときには、入力無線周波数（ＲＦ）信号をフィルタリングし、フィルタリングされたＲＦ信号を提供するためにナローフィルタを選択することを少なくとも１つのコンピュータに行わせるためのコードであって、前記ナローフィルタが、前記第１の周波数帯域に関するものであり、前記第１の周波数帯域よりも狭い第１の帯域幅を有し、前記ナローフィルタが電力増幅器より前に配置された、ナローフィルタを選択することを少なくとも１つのコンピュータに行わせるためのコードと、
前記ワイヤレスデバイスが、前記第１の周波数帯域における前記第１のワイヤレスネットワークと通信するが、前記第２の周波数帯域における前記第２のワイヤレスネットワークとは通信しないときには、前記電力増幅器からの増幅されたＲＦ信号をフィルタリングし、出力ＲＦ信号を提供するためにフルフィルタを選択することを前記少なくとも１つのコンピュータに行わせるためのコードであって、前記フルフィルタが、前記第１の周波数帯域に関するものであり、前記ナローフィルタの前記第１の帯域幅よりも大きい第２の帯域幅を有し、前記フルフィルタが前記電力増幅器の後に配置された、フルフィルタを選択することを少なくとも１つのコンピュータに行わせるためのコードと
を備える非一時的コンピュータ可読媒体
を備える、コンピュータプログラム製品。